【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
パケットベースネットワークのトポロジーの知識を必要とせずにパケットベースネットワークを介して通話を管理するための方法であって：
パケットベースネットワークと通信可能状態の第１メディアゲートウェイに対する複数の論理トランクグループであって、各々がパケットベースネットワークを介して第１メディアゲートウェイと通信状態にある１つまたは複数のメディアゲートウェイと関連している論理トランクグループを定義すること；
第１メディアゲートウェイによって受信または送信されるパケットデータを特定の通話に関連付けること；
前記パケットデータを複数の論理トランクグループの第１論理トランクグループに関連付けること；及び、
第１論理トランクグループに関連した統計データを収集することを含む方法。
【請求項２】
パケットベースネットワークを介してデータソースから受信されるまたはデータデスティネーションに送信される通話データを、少なくとも部分的に通話データ、データソース、データデスティネーション、またはこれらの組み合わせの特徴に基づいて論理トランクグループに関連付けることであって、前記特徴が名前、インターネットプロトコル（ＩＰ）アドレス、信号方式プロトコル、伝送サービスアクセスポイント、ポート、仮想ローカルエリアネットワーク（ＶＬＡＮ）識別子、またはこれらの組み合わせを含む通話データの論理トランクグループへの関連付けを含む方法。
【請求項３】
パケットベースネットワークのトポロジーの知識を必要とせずにパケットベースネットワークを介して通話を管理するための方法であって：
パケットベースネットワークと通信可能状態の第１メディアゲートウェイに対する第１論理トランクグループを定義することであって、第１論理トランクグループがパケットベースネットワークを介して第１メディアゲートウェイと通信状態にある第２メディアゲートウェイと関連している第１論理トランクグループの定義；
第２メディアゲートウェイにルーティングされる通話に対応するパケットを第１論理トランクグループに関連付けること；
第１論理トランクグループに関連した統計データを収集すること；
パケットベースネットワークと通信可能状態の第２メディアゲートウェイに対する第２論理トランクグループを定義することであって、第２論理トランクグループはパケットベースネットワークを介して第２メディアゲートウェイと通信状態にある第１メディアゲートウェイと関連している第２論理トランクグループの定義；
第１メディアゲートウェイからルーティングされる通話に対応するパケットを第２論理トランクグループに関連付けること；
第２論理トランクグループに関連した統計データの第２の組を生成すること；及び、
少なくとも部分的に第１または第２の統計の組またはそれら両方に基づいてネットワーク品質をパケットベースネットワークに関連付けることを含む方法。
【請求項４】
パケットベースネットワーク；
該パケットベースネットワークと通信状態にあり、複数の論理トランクグループを含み第１メディアゲートウェイであって、該複数の論理トランクグループの各々が前記パケットネットワークを介して１つまたは複数の付加的なメディアゲートウェイと関連している第１メディアゲートウェイ；
通話に関連したパケットデータを、パケットベースネットワークを介する伝送のために複数の論理トランクグループから選択された第１論理トランクグループに関連付けるために構成された第１モジュール；及び、
第１論理トランクグループに関連した統計データを収集するために構成された収集モジュールを備えるシステム。
【請求項５】
情報搬送体に埋め込まれたコンピュータープログラム製品、データ処理装置が：
パケットベースネットワークと通信可能状態の第１メディアゲートウェイに対する複数の論理トランクグループであって、各々がパケットベースネットワークを介して第１メディアゲートウェイと通信状態にある１つまたは複数のメディアゲートウェイと関連している論理トランクグループを定義する；
第１メディアゲートウェイによって受信または送信されるパケットデータを特定の通話に関連付ける；
前記パケットデータを複数の論理トランクグループから選択された第１論理トランクグループに関連付ける；及び、
第１論理トランクグループに関連した統計データを収集することを生じさせるために機能可能なインストラクションを含むコンピュータープログラム製品。
【請求項６】
通話に関連したデータであって、データソース、または１つまたは複数のデータデスティネーションに関連した識別子を含むデータを受信すること；
前記データを、各々がパケットベースネットワークを介して部分的に前記識別子に基づいて１つまたは複数のデータデスティネーションと通信状態にある複数の論理トランクグループから選択された１つの論理トランクグループと関連付けること；及び、
パケットベースネットワークを介して部分的に関連した論理トランクグループに基づいて上記データに関連付けられた通話を管理することを含む方法。
【請求項７】
パケットベースネットワークと通信状態にあるスイッチモジュールであって、通話に関連したデータであって該データ、データソース、または１つまたは複数のデータデスティネーションに関連した識別子に関連したデータを受信するために構成されているスイッチモジュール；
該スイッチモジュールに関連した複数の論理トランクグループであって、各々がパケットベースネットワークを介して１つまたは複数のデータデスティネーションに関連付けられた論理トランクグループ；
スイッチモジュールによって受信されたデータを複数の論理トランクグループから選択された第１論理トランクグループに関連付けるために構成された選択モジュール；及び、
関連する論理トランクグループに部分的に基づいて上記データに関連した通話を管理するために構成された管理モジュールを備えるシステム。
【請求項８】
情報搬送体に埋め込まれたコンピュータープログラム製品、データ処理装置が：
通話に関連したデータであって、データソース、または１つまたは複数のデータデスティネーションに関連した識別子を含むデータを受信する；
前記データを、各々がパケットベースネットワークを介して１つまたは複数のデータデスティネーションと通信状態にある複数の論理トランクグループから選択された第１論理トランクグループと関連付ける；及び、
関連した論理トランクグループに部分的に基づいて上記データに関連付けられた通話を管理することを生じさせるために機能可能なインストラクションを含むコンピュータープログラム製品。
【請求項９】
パケットベースネットワークを介して送信状態、受信状態、キュー状態、損失状態、またはそれらの組み合わせを含む、電話通話に関連したデータパケットの組の状態に関係した情報を収集すること；
前記情報を複数の論理トランクグループからの１つの論理トランクグループに関連付けること；
部分的に上記情報に基づいて性能統計を決定すること；及び、
部分的に上記性能統計への応答でパケットベースネットワークまたは論理トランクグループに関連した資源パラメーターを調節することを含む方法。
【請求項１０】
第１トランク資源パラメーターに関連した第１論理トランクグループを含む第１階層グループであって、第１グループ資源パラメーターに関連付けられ、それの一部が第１トランク資源パラメーターに基づいている第１階層グループ；
パケットベースネットワークを介して部分的にグループ資源パラメーターに基づいて第１論理トランクグループに関連した通話データを送信するために構成されたモジュールを備えるシステム。
【請求項１１】
パケットベースネットワークを介して第１トランク資源パラメーターを経路の組に関連した第１論理トランクグループに関連付けること；
第１グループ資源パラメーターを、第１論理トランクグループを含む第１階層グループに関連付けることであって、第１グループ資源パラメーターの一部が第１トランク資源パラメーターに基づいている第１グループ資源パラメーターの第１階層グループへの関連付け；及び、
パケットベースネットワークを介して部分的に第１グループ資源パラメーターに基づいて通話に関連したデータを送信することを含む方法。
【請求項１２】
情報搬送体に埋め込まれたコンピュータープログラム製品、データ処理装置が：
パケットベースネットワークを介して第１トランク資源パラメーターを経路の組に関連した第１論理トランクグループに関連付けること；
第１グループ資源パラメーターを、第１論理トランクグループを含む第１階層グループに関連付けることであって、第１グループ資源パラメーターの一部が第１トランク資源パラメーターに基づいている第１グループ資源パラメーターの第１階層グループへの関連付け；及び、
パケットベースネットワークを介して部分的に第１グループ資源パラメーターに基づいて通話に関連したデータを送信することを生じさせるために機能可能なインストラクションを含むコンピュータープログラム製品。